(57)【要約】【課題】アイスキャンディーが溶けて垂れた液体で手指を汚さないアイスキャンディー用スタンドを提供する。【解決手段】アイスキャンディー１９が溶けて垂れた液体を受け、更にはアイスキャンディーを垂直に載置可能なアイスキャンディー用スタンド１１であって、アイスキャンディー用スタンドは、スタンド本体１２と、スタンド本体の上部にセットする保持ホルダー１３とからなり、スタンド本体は、中空で身体を模した胴部１４と腕部１５と首部１６とを有し、首部にはアイスキャンディーの持ち手用の棒２０を差し込む挿入孔１８が形成され、挿入孔には長孔を有するポールが垂下しており、保持ホルダー１３は、顔を模した受け部２３と、受け部に施蓋可能な蓋体２８とが設けられており、受け部は、周縁に縁部２４を有し、中央部に挿入孔と連接可能な細孔２６を有している。【選択図】図６
0003191125.tif 000002
【実用新案登録請求の範囲】
【請求項１】
アイスキャンディーが溶けて垂れた液体を受け、更には前記アイスキャンディーを垂直に載置可能なアイスキャンディー用スタンドであって、
該アイスキャンディー用スタンドは、スタンド本体と、該スタンド本体の上部にセットする保持ホルダーとからなり、
前記スタンド本体は、中空で身体を模した胴部と腕部と首部とを有し、該首部には前記アイスキャンディーの持ち手用の棒を差し込む挿入孔が形成され、該挿入孔には長孔を有するポールが垂下しており、
前記保持ホルダーは、顔を模した受け部と、該受け部に施蓋可能な蓋体とが設けられており、
前記受け部は、周縁に縁部を有し、中央部に前記挿入孔と連接可能な細孔を有していること
を特徴とするアイスキャンディー用スタンド。
【請求項２】
前記細孔は、高さのある凸状部に形成されていること
を特徴とする請求項１に記載のアイスキャンディー用スタンド。
【請求項３】
前記蓋体は、前記細孔に嵌合可能な突部を有すること
を特徴とする請求項１に記載のアイスキャンディー用スタンド。
【考案の詳細な説明】
【技術分野】
【０００１】
本考案は、アイスキャンディーが溶けて垂れた液体を受け、更にはアイスキャンディーを垂直に載置できるアイスキャンディー用スタンドに関するものである。
【背景技術】
【０００２】
アイスキャンディーは、水、果汁、牛乳などに甘味料や香料などを加えて、直方体の型に流し入れ、持ち手にする棒をセットして凍らせた氷菓子であり、このようなアイスキャンディーが一般に市販されている。
【０００３】
一方、従来のアイスキャンディー用のスタンドとしては、特開２０００−１２５７７４号公報に開示された構成のものが知られている。このアイスキャンディーの液垂れを受け止める器具は、縁付きの受け止めプレートと、受け止めプレートの中央部に設けられた筒とからなり、筒の下端には、垂れた液を溜める空間部が形成されている（特許文献１参照）。
【０００４】
このような構成のアイスキャンディーの液垂れを受け止める器具は、持ち手の棒を筒に差し込んで、筒を指で挟んでアイスキャンディーを食する。溶けて垂れた液体は、受け止めプレートの内側を伝って筒に流れ空間部に溜まる仕組みである。
【先行技術文献】
【特許文献】
【０００５】
【特許文献１】特開２０００−１２５７７４号公報
【考案の概要】
【考案が解決しようとする課題】
【０００６】
この従来例のアイスキャンディーの液垂れを受け止める器具においては、筒を指で挟んで手指を汚さずに食べられるが、しかしながら、アイスキャンディーを垂直に載置できないという不都合を有している。
【０００７】
仮に、アイスキャンディーを横に倒して、皿の上などに置いた場合には、空間部に溜まった液体が逆流して外に出てしまい、皿やその周囲を汚すおそれがあるという欠点を有している。
【０００８】
従って、従来例における場合においては、アイスキャンディーの液垂れを受ける機能を維持して、アイスキャンディーを垂直に載置できるようにすることに解決しなければならない課題を有している。
【課題を解決するための手段】
【０００９】
前記従来例の課題を解決するための本考案の要旨は、アイスキャンディーが溶けて垂れた液体を受け、更には前記アイスキャンディーを垂直に載置可能なアイスキャンディー用スタンドであって、該アイスキャンディー用スタンドは、スタンド本体と、該スタンド本体の上部にセットする保持ホルダーとからなり、前記スタンド本体は、中空で身体を模した胴部と腕部と首部とを有し、該首部には前記アイスキャンディーの持ち手用の棒を差し込む挿入孔が形成され、該挿入孔には長孔を有するポールが垂下しており、前記保持ホルダーは、顔を模した受け部と、該受け部に施蓋可能な蓋体とが設けられており、前記受け部は、周縁に縁部を有し、中央部に前記挿入孔と連接可能な細孔を有していることである。
【００１０】
また、前記細孔は、高さのある凸状部に形成されていること、；
前記蓋体は、前記細孔に嵌合可能な突部を有すること、；
を含むものである。
【考案の効果】
【００１１】
本考案に係るアイスキャンディー用スタンドによれば、持ち手の棒を保持ホルダーの細孔に挿通し、棒を持ってアイスキャンディーを食べることによって、溶けて垂れた液体を受け部が受けるので、液垂れで手指を汚すことがない。
また、棒をスタンド本体の挿入孔に挿入すれば、アイスキャンディーを垂直な状態で載置できるので便利である。
この場合、身体を模した胴部と腕部と首部との上に、顔を模した受け部を載置するので、アイスキャンディー用スタンドをマスコットキャラクターや玩具などとしても楽しむことができる。
更に、受け部は蓋体で施蓋できるので、不使用時には、アイスキャンディーが接触する部分をカバーして清潔に保てるという種々の優れた効果を奏する。
【００１２】
細孔は、高さのある凸状部に形成されていることによって、受け部に溜まった液体が細孔から下に漏出しないという優れた効果を奏する。
【００１３】
蓋体は、細孔に嵌合可能な突部を有することによって、突部を細孔に嵌合させることにより受け部の施蓋状態がシッカリと維持されるという優れた効果を奏する。
【図面の簡単な説明】
【００１４】
【図１】本考案に係るアイスキャンディー用スタンド１１の斜視図である。
【図２】スタンド本体１２の斜視図である。
【図３】スタンド本体１２の縦断面図である。
【図４】保持ホルダー１３の斜視図である。
【図５】蓋体２８を施蓋したアイスキャンディー用スタンド１１の斜視図である。
【図６】アイスキャンディー用スタンド１１の使用方法を説明する斜視図である。
【図７】アイスキャンディー用スタンド１１の使用方法を説明する斜視図である。
【図８】アイスキャンディー用スタンド１１の使用方法を説明する斜視図である。
【考案を実施するための形態】
【００１５】
次に、本考案の実施の形態について図面を参照しながら説明する。まず、図１において、符号１１はアイスキャンディー用スタンドを示し、このアイスキャンディー用スタンド１１は、スタンド本体１２と、スタンド本体の上部にセットする保持ホルダー１３とから構成される。
【００１６】
スタンド本体１２は、図２及び図３に示すように、身体を模した胴部１４と、腕部１５と、首部１６とを有して、底部１７が開口しており、また、その内部１２ａが中空に形成されている。
【００１７】
首部１６は、長方形の凸状に形成されており、その中央部には、横長の挿入孔１８が形成されている。この挿入孔１８は、アイスキャンディー１９の持ち手用の棒２０を差し込む孔である。
【００１８】
挿入孔１８には、図３に示すように、長孔２１を有するポール２２が垂下している。棒２０を挿入孔１８に差し込んで、長孔１９で棒２０を保持する。
【００１９】
保持ホルダー１３は、図４に示すように、上面側に顔を模した受け部２３が形成されており、受け部２３の周縁には段高の縁部２４が設けられている。
【００２０】
保持ホルダー１３の中央には、高さのある凸状部２５が形成されており、この凸状部２５の中央部には、横長の細孔２６が形成されている。細孔２６は挿入孔１８と連接するようになっている。また、凸状部２５の下面側は、図示はしないが首部１６と嵌合するよう凹状に形成されている。
【００２１】
このように、受け部２３の周縁には段高の縁部２４が設けられているので、受け部２３に溜まった液体が縁部２４から外側に漏出しない。また、細孔２６は高さのある凸状部２５に形成されているので、受け部２３に溜まった液体が細孔２６から下に漏出しないのである。
【００２２】
保持ホルダー１３の側部には、屈曲自在な連結部２７を介して蓋体２８が設けられている。この蓋体２８によって、図５に示すように、受け部２３を施蓋できるので、不使用時には、アイスキャンディー１９の下部が接触する部位をカバーして清潔に保つことができる。
【００２３】
蓋体２８の中央部には、細孔２６に嵌合可能な突部２９が設けられている。この突部２９を細孔２６に嵌合させることによって、受け部２３を施蓋した状態がシッカリと維持される。
【００２４】
次に、アイスキャンディー用スタンド１１の使用方法について説明する。まず、図６及び図７に示すように、アイスキャンディー１９の持ち手の棒２０を保持ホルダー１３の細孔２６に挿通して、棒２０を持ってアイスキャンディー１９を食べることができる。この場合、アイスキャンディー１９が溶けて垂れた液体を受け部２３が受けるので、液垂れで手指を汚すことがない。
【００２５】
また、図８に示すように、棒２０をスタンド本体１２の挿入孔１８に挿入すれば、アイスキャンディー１９を垂直な状態に載置できる。
【００２６】
この場合、身体を模した胴部１４と腕部１５と首部１６との上に、顔を模した受け部２３を載置するので、アイスキャンディー用スタンド１１をマスコットキャラクターや玩具などとしても楽しむことができる。
【符号の説明】
【００２７】
１１  アイスキャンディー用スタンド
１２  スタンド本体
１２ａ内部
１３  保持ホルダー
１４  胴部
１５  腕部
１６  首部
１７  底部
１８  挿入孔
１９  アイスキャンディー
２０  棒
２１  長孔
２２  ポール
２３  受け部
２４  縁部
２５  凸状部
２６  細孔
２７  連結部
２８  蓋体
２９  突部
【図１】
0003191125.tif 000003
【図２】
0003191125.tif 000004
【図３】
0003191125.tif 000005
【図４】
0003191125.tif 000006
【図５】
0003191125.tif 000007
【図６】
0003191125.tif 000008
【図７】
0003191125.tif 000009
【図８】
0003191125.tif 000010